【手続補正書】
【提出日】平成18年12月6日(2006.12.6)
【手続補正１】
【補正対象書類名】明細書
【補正対象項目名】特許請求の範囲
【補正方法】変更
【補正の内容】
【特許請求の範囲】
【請求項１】  
重なり合う複数のポリゴンに対する画像処理を行って、スクリーン用表示データを生成する画像処理装置において、
各ポリゴンデータを、前記スクリーン画素単位のピクセルデータに展開した後、前記スクリーン画素単位に、前記ピクセルデータを奥行き方向にソートするピクセルソーターと、
前記ソートされたピクセルデータを合成して、前記スクリーン用表示データを生成する合成ユニットとを有し、
前記ピクセルソーターは、
複数の直列接続された演算回路と、
前記同一のスクリーン画素のピクセルデータ間で、ピクセル属性情報の演算を行う演算器を有し、
前記演算器は、
前記ピクセルデータから複数のポリゴンの境界に位置するピクセルを検出し、前記ピクセルデータを混合するピクセル混合器を有し、
前記演算回路は、
前記ピクセルデータの奥行き情報を保持するレジスタと、入力されたピクセルデータの奥行きデータと、前記レジスタの奥行きデータとを比較する比較器と有することを
特徴とする画像処理装置。
【請求項２】  
請求項１の画像処理装置において、
前記ピクセルソーターは、
前記同一のスクリーン画素のピクセルデータを抽出し、前記演算回路に入力する管理回路を有することを
特徴とする画像処理装置。
【請求項３】
請求項１の画像処理装置において、
前記ピクセルソーターは、
前記直列接続された複数の演算回路からなるソート回路を複数有することを
特徴とする画像処理装置。
【請求項４】  
重なり合う複数のポリゴンに対する画像処理を行って、スクリーン用表示データを生成する画像処理装置において、
各ポリゴンデータを、前記スクリーン画素単位のピクセルデータに展開した後、前記スクリーン画素単位に、前記ピクセルデータを奥行き方向にソートするピクセルソーターと、
前記ソートされたピクセルデータを合成して、前記スクリーン用表示データを生成する合成ユニットとを有し、
前記ピクセルソーターは、
複数の直列接続された演算回路と、
前記同一のスクリーン画素のピクセルデータ間で、ピクセル属性情報の演算を行う演算器とを有し、
前記演算回路は、前記ピクセルデータの奥行き情報を保持するレジスタと、入力されたピクセルデータの奥行きデータと、前記レジスタの奥行きデータとを比較する比較器とを有することを
特徴とする画像処理装置。
【請求項５】  
重なり合う複数のポリゴンに対する画像処理を行って、スクリーン用表示データを生成する画像処理装置において、
各ポリゴンデータを、前記スクリーン画素単位のピクセルデータに展開した後、前記スクリーン画素単位に、前記ピクセルデータを奥行き方向にソートするピクセルソーターと、
前記ソートされたピクセルデータを合成して、前記スクリーン用表示データを生成する合成ユニットとを有し、
前記ピクセルソーターは、
複数の直列接続された演算回路を有し、
前記演算回路は、前記ピクセルデータの奥行き情報を保持するレジスタと、入力されたピクセルデータの奥行きデータと、前記レジスタの奥行きデータとを比較する比較器とを有することを
特徴とする画像処理装置。
【請求項６】  
請求項５の画像処理装置において、
前記ピクセルソーターは、
前記演算回路から溢れた前記ピクセルデータを破棄するための制御ユニットを更に有することを
特徴とする画像処理装置。
【請求項７】  
重なり合う複数のポリゴンに対する画像処理を行って、スクリーン用表示データを生成する画像処理装置において、
各ポリゴンデータを、前記スクリーン画素単位のピクセルデータに展開した後、前記スクリーン画素単位に、前記ピクセルデータを奥行き方向にソートするピクセルソーターと、
前記ソートされたピクセルデータを合成して、前記スクリーン用表示データを生成する合成ユニットとを有し、
前記ピクセルソーターは、
前記ピクセルデータを奥行き方向にソートする複数のソート回路と、
同一のスクリーン画素のピクセルデータを抽出して、同一のスクリーン画素のピクセルデータを同一のソート回路に入力する管理部とを有することを
特徴とする画像処理装置。
【請求項８】
重なり合う複数のポリゴンに対する画像処理を行って、スクリーン用表示データを生成する画像処理方法において、
各ポリゴンデータを、前記スクリーン画素単位のピクセルデータに展開するステップと、
前記スクリーン画素単位に、前記ピクセルデータを奥行き方向にソートするピクセルソートステップと、
前記ソートされたピクセルデータを合成して、前記スクリーン画素データを生成する合成ステップとを有し、
前記ピクセルソートステップは、
各々前記ピクセルデータの奥行き情報を保持するレジスタと、入力されたピクセルデータの奥行きデータと、前記レジスタの奥行きデータとを比較する比較器と有し、複数の直列接続された演算回路に、前記同一スクリーン画素のピクセルデータを入力するステップと、
前記同一のスクリーン画素のピクセルデータ間で、ピクセル属性情報の演算を行う演算ステップとを有し、
前記演算ステップは、
前記ピクセルデータから複数のポリゴンの境界に位置するピクセルを検出し、前記ピクセルデータを混合するステップを有することを
特徴とする画像処理方法。
【請求項９】  
請求項８の画像処理方法において、
前記ピクセルソートステップは、
前記同一のスクリーン画素のピクセルデータを抽出し、前記演算回路に入力するステップを有することを
特徴とする画像処理方法。
【請求項１０】  
請求項８の画像処理方法において、
前記ピクセルソートステップは、
各々前記直列接続された複数の演算回路からなる複数のソート回路を並列に動作するステップを有することを
特徴とする画像処理方法。
【請求項１１】  
重なり合う複数のポリゴンに対する画像処理を行って、スクリーン用表示データを生成する画像処理方法において、
各ポリゴンデータを、前記スクリーン画素単位のピクセルデータに展開するステップと、
前記スクリーン画素単位に、前記ピクセルデータを奥行き方向にソートするピクセルソートステップと、
前記ソートされたピクセルデータを合成して、前記スクリーン画素データを生成する合成ステップとを有し、
前記ピクセルソートステップは、
各々前記ピクセルデータの奥行き情報を保持するレジスタと、入力されたピクセルデータの奥行きデータと、前記レジスタの奥行きデータとを比較する比較器と有し、複数の直列接続された演算回路に、前記同一スクリーン画素のピクセルデータを入力するステップと、
前記同一のスクリーン画素のピクセルデータ間で、ピクセル属性情報の演算を行う演算ステップとを有することを
特徴とする画像処理方法。
【請求項１２】  
重なり合う複数のポリゴンに対する画像処理を行って、スクリーン用表示データを生成する画像処理方法において、
各ポリゴンデータを、前記スクリーン画素単位のピクセルデータに展開するステップと、
前記スクリーン画素単位に、前記ピクセルデータを奥行き方向にソートするピクセルソートステップと、
前記ソートされたピクセルデータを合成して、前記スクリーン画素データを生成する合成ステップとを有し、
前記ピクセルソートステップは、
各々前記ピクセルデータの奥行き情報を保持するレジスタと、入力されたピクセルデータの奥行きデータと、前記レジスタの奥行きデータとを比較する比較器と有し、複数の直列接続された演算回路に、前記同一スクリーン画素のピクセルデータを入力するステップを有することを
特徴とする画像処理方法。
【請求項１３】  
請求項１２の画像処理方法において、
前記ピクセルソートステップは、
前記演算回路から溢れた前記ピクセルデータを破棄するステップを更に有することを
特徴とする画像処理方法。
【請求項１４】  
重なり合う複数のポリゴンに対する画像処理を行って、スクリーン用表示データを生成する画像処理方法において、
各ポリゴンデータを、前記スクリーン画素単位のピクセルデータに展開するステップと、
前記スクリーン画素単位に、前記ピクセルデータを奥行き方向にソートするピクセルソートステップと、
前記ソートされたピクセルデータを合成して、前記スクリーン用表示データを生成する合成ステップとを有し、
前記ピクセルソートステップは、
同一のスクリーン画素のピクセルデータを抽出するステップと、
前記ピクセルデータを奥行き方向にソートする複数のソート回路に、前記抽出した同一のスクリーン画素のピクセルデータを入力して、前記複数のスクリーン画素のソートを並列処理するステップとを有することを
特徴とする画像処理方法。